(57)【特許請求の範囲】
【請求項１】
スティック状の保持具の一端に設けた挟持部にチューブに連結された翼状注射針の翼状部を挿入して挟持させることにより、前記保持具のほぼ中心軸の延長線上に注射針が突出した状態で保持される翼状注射針の保持具であり、前記挟持部は先端部が２つに割れた略円筒形であり、外形にテーパ部があり、該テーパ部が筒状の保持具本体のテーパ部に入り込むことにより前記翼状部を挟持する構造であることを特徴とする翼状注射針の保持具。
【請求項２】
前記保持具は、キャップ部と保持具本体からなり、不使用時は保持具本体の挟持部側にキャップを嵌めることにより挟持部の汚染を防ぎ、使用時はキャップを保持具本体の反挟持部側に嵌めることにより、保持具本体のみで使用する際の長さより長くなることを特徴とする請求項１に記載した翼状注射針の保持具。
【請求項３】
前記キャップを前記保持具本体の反挟持部側に嵌めた状態において、前記キャップの頭部から突出している連動ノックを押すと、前記連動ノックに連接されかつ前記キャップを貫通する連動材が保持具本体方向に摺動し、前記連動材が保持具本体に設けた本体ノックを押し、該本体ノックに連接された挟持体を押し、該挟持体の外形に設けたテーパー部が挟持具本体のテーパー部から離れることによって前記挟持部を開く構造であることを特徴とする請求項２に記載した翼状注射針の保持具。
【請求項４】
先端部が２つに割れた略円筒形の挟持部に装着可能なカバーを備え、前記カバーを装着した状態で翼状注射針の翼状部を挟持できる構造であることを特徴とする請求項１〜３のいずれかに記載した翼状注射針の保持具。
【発明の詳細な説明】
【技術分野】
【０００１】
本発明は、点滴や輸血に使用される翼状注射針の保持具に関する。
【背景技術】
【０００２】
現在、医療現場で点滴や輸血をする際に広く使用されている翼状注射針は、使い捨てで且つ、針を刺す状態と患者に装着する状態が同一構成なので、必ずしも針を刺す際に扱いやすい形状ではない。
【０００３】
現状の処置方法では、２枚の翼状部を折り曲げて重ね合わせて指で摘み、患者の静脈に針を刺しているが、摘んでいる部分は針の延長線上ではないので、方向を定めるのも針を直線的に動かすのも難しい状況にある。
この結果、針刺しの失敗が多く見受けられ、患者にとっても医療従事者にとってもストレスの原因になっている。
【０００４】
この点を改善する方法として、特許文献１では、翼状注射針そのものに改良を加え、針の延長線上を指で摘む形状が提案されている。
しかしながら、翼状注射針は点滴をしていないときでも腕に貼り付けておくのが一般的な使用方法なので、翼状注射針はできるだけ短く、しなやかな方が患者にとっては好ましい。
【先行技術文献】
【特許文献】
【０００５】
【特許文献１】特開２００７−２５２４６１号公報
【発明の概要】
【発明が解決しようとする課題】
【０００６】
本発明は、上記のような問題点に鑑み、翼状注射針の針の延長線上を確実に保持することによって容易に処置ができるようになる、携帯に便利な保持具を提供することである。
【課題を解決するための手段】
【０００７】
翼状注射針の保持具において、挟持部は先端部が２つに割れた略円筒形であり、外形にテーパ部があり、該テーパ部が筒状の保持具本体のテーパ状の穴に入り込むことにより翼状部を挟持する構造にした。
【０００８】
上記保持具は、キャップ部と保持具本体からなり、不使用時は保持具本体の挟持部側にキャップを嵌めることにより挟持部の汚染を防ぎ、使用時はキャップを保持具本体の反挟持部側に差し替えることにより、使用しやすい長さになるようにした。
【０００９】
前記キャップを貫通する連動材が、キャップ頭部に設けたノックを押すことによって摺動し、前記連動材が筒状の保持具本体に設けたノックを介して挟持体を押し、前記挟持部を開く構造にした。
【００１０】
また、挟持部に使い捨てのカバーを装着することにより、万が一患者の血液が挟持部に付着しても感染が防止できる構造にした。
【発明の効果】
【００１１】
万年筆型の保持具本体の軸心の延長線上に注射針が固定されるので、本来の注射器と同様な操作で針を刺すことができるので、針刺しミスや輸液漏れによる痛みが減少する。
【００１２】
ノックを押すことによって挟持部が開き、ノックを放せばスプリングの力によって挟持部が閉じるので片手で開閉ができ、一連の処置がスムーズに行える。
使用時は左手で本保持具を持ち、左の手のひら部でノックを押して挟持部を開き、右手で翼状針を挟持部に刺込むと同時に左手の指をゆるめてノックを戻すことにより装着が完了する。
針を刺すときは右手で持って通常の注射器のように扱い、針を刺し終えたら左手で翼状部を押さえ、右手の手のひら部でノックを押して挟持部を開いて保持具を外す。
【００１３】
キャップ付の万年筆型でクリップも付いているのでポケットに収納でき、携帯に便利で紛失しにくい。
キャップを閉じれば、挟持部にほこりなどが付かず、キャップ内に消毒液を含ませた脱脂綿を装着することができる。
【００１４】
キャップを介してノックを作動できるので、キャップを反挟持部側に差し替えて使うことにより処置しやすい長さになる。これにより、常にキャップを差し替えて使うことになるのでキャップの紛失を防ぐことができる。
【００１５】
翼状注射針を装着する前に挟持部に新品のカバーを装着することにより、万が一患者の血液が挟持部に付着しても感染を防止することができる。
【図面の簡単な説明】
【００１６】
【図１】チューブ付翼状注射針の外観図
【図２】本発明による翼状注射針保持具の外観図
【図３】翼状注射針保持具の使用状態を示す説明図
【図４】翼状注射針保持具の不使用状態の外観図
【図５】翼状注射針保持具の本体の外観図
【図６】翼状注射針保持具の本体の断面図
【図７】翼状注射針保持具の本体の展開図
【図８】キャップの外観図
【図９】キャップの断面図
【図１０】キャップの展開図
【図１１】翼状注射針保持具の平面図
【図１２】翼状注射針保持具の本体にキャップをセットした状態のＡ−Ａ断面図
【図１３】翼状注射針保持具の平面図
【図１４】挟持部の断面図（Ｄ−Ｅ断面図、Ｅ−Ｆ断面図）
【図１５】挟持部の断面図（Ｃ−Ｃ断面図、Ｂ−Ｂ断面図）
【図１６】挟持部に装着するためのカバー
【発明を実施するための形態】
【００１７】
対象にしているのは図１に示したようなチューブが連結された翼状注射針である。図２は本発明による翼状注射針の保持具の外観図であり、図３は本発明による保持具に翼状注射針を装着した状態を示している。
【００１８】
図４は不使用状態を示しており、挟持部側にキャップ６を嵌めることにより外観は万年筆状になり、クリップ７をポケットに挟むことにより、紛失しにくく取り出しが容易になる。
【００１９】
図５〜図７は保持具本体の外観と構造を示している。本体内部にセットしたスプリング１６により挟持体１２を常に図で下方向に引いている。このことにより、挟持体１２の挟持部３側外面に設けたテーパー部１２ａが、筒状の挟持具本体５のテーパー状の穴５ａに入り込むことにより、挟持部３が閉じる方向に付勢されている。
【００２０】
挟持部３は、翼状注射針の翼端部に当接し支えるための突起２８と、翼状注射針１に連結されたチューブ２を通すための空間１０が設けられている。
前記空間１０の方向を、保持具本体に設けたチューブを通すための溝４に一致させるために、回り止め用凸部１４が回り止め用凹部（溝）１５に摺動自在に嵌合している。
【００２１】
本体のノック９は、挟持体の反挟持体側の端部にネジ１７と１８により固定されており、スプリング１６の力を受けている。ノック９を図で上方向に押すことにより、挟持体１２が図で上方向に移動し、挟持体１２の外面のテーパー部１２ａが保持具本体５のテーパー部５ａから離れることにより、予め開く状態に成形された挟持部３は、切り込み１１の端部を起点として開く。
【００２２】
図８〜図１０はキャップの外観図と構造図である。
キャップ６の内部には軸方向に摺動可能な連動材２１が設けられ、比較的弱いスプリング２３にて、連動材２１を図で下方向に付勢している。ノック８がキャップ６の上端部に連動材２１の雌ネジ２０に雄ねじ１９をねじ込むことにより固定され、スプリング力を受けている。
【００２３】
連動材２１の反ノック側には、脱脂綿を保持可能な脱脂綿室２２があり、不使用時にキャップを保持具本体の挟持部３側に装着した際に、脱脂綿室が挟持部３に触れるようになっている。脱脂綿室に例えば消毒用アルコールを浸した脱脂綿を充填しておくことにより、不使用時に挟持部を消毒することができる。
【００２４】
使用時にキャップを反挟持部側に装着すると、連動材２１の内側端部が本体のノック９に当接し、更に押し込むと、比較的弱いスプリング２３が圧縮されて、キャップの連動ノック８がキャップから離れる方向に突出する。
この状態で、キャップの連動ノック８を押すと、図１２に示したように、本体スプリング１６が圧縮されて、挟持体１２が保持具本体から突き出すと同時に挟持部３が開く。
【００２５】
上述のように、キャップの連動ノック８を押すと挟持部が開いて翼状注射針を着脱できる状態になり、連動ノック８を戻すと、本体スプリング１６が挟持体１２を保持具本体５内に引き込む動きをする。連動ノック８を戻す際、挟持体１２の外面のテーパー部１２ａが保持具本体５のテーパー部５ａ内に入り込むので、くさび効果により挟持部３は強い力で閉じられ翼状部をしっかりと保持することができる。
【００２６】
図１６は挟持部３に装着するカバー３０の斜視図である。挟持部に設けた針を保持する溝２７に合うように凹部３１が形成されており、一対のカバーは連結部３３にて繋がっているので装着が容易であり、翼状注射針に繋がったチューブ２は分離部３４を通して装着する。カバーの入り口端には鍔３２が外周側に向かって延設されており、着脱するときの手がかりになると同時に保持具本体５の端部をカバーする。
【００２７】
カバー３０の材質としては軟質の樹脂が好ましく、厚さは０．３ｍｍ以下が好ましい。
【符号の説明】
【００２８】
１    翼状針
２    チューブ
３    挟持部
４    チューブを通す溝
５    保持具本体
５ａ  保持具本体のテーパー部
６    キャップ
７    クリップ
８    キャップの連動ノック
９    本体のノック
１０  挟持部に設けたチューブを通すための空間
１１  挟持部を開くための切り込み
１２  挟持体
１２ａ挟持体のテーパー部
１３  キャップの上下のストッパー
１４  回り止め用凸部
１５  回り止め用凹部
１６  本体スプリング
１７  挟持体の雄ネジ
１８  本体ノックの雌ネジ
１９  キャップの連動ノックの雄ネジ
２０  キャップの連動材の雌ネジ
２１  キャップの連動材
２２  脱脂綿室
２３  キャップ内スプリング
２７  針を保持する溝
２８  翼状部を係止するための突起
３０  挟持部に装着するためのカバー
３１  凹部
３２  鍔
３３  カバーの連結部
３４  分離部
【図１】
0004439583.tif 000002
【図２】
0004439583.tif 000003
【図３】
0004439583.tif 000004
【図４】
0004439583.tif 000005
【図５】
0004439583.tif 000006
【図６】
0004439583.tif 000007
【図７】
0004439583.tif 000008
【図８】
0004439583.tif 000009
【図９】
0004439583.tif 000010
【図１０】
0004439583.tif 000011
【図１１】
0004439583.tif 000012
【図１２】
0004439583.tif 000013
【図１３】
0004439583.tif 000014
【図１４】
0004439583.tif 000015
【図１５】
0004439583.tif 000016
【図１６】
0004439583.tif 000017